(57)【要約】【課題】上側外表面に特異な図柄が印刷されたＭＤを外装フィルムで個別にシュリンク包装するに際し、ＭＤ上の印刷図柄が包装を解くまで目隠しされており、希望の印刷図柄を引き当てる喜びをユーザーに与える包装構造にする。【解決手段】ディスクケース５の上面壁７にラベル貼り面９が形成されているＭＤを個別包装するについて、ケース本体１２の後側面にＭＤの差込口１３を備えていて、少なくとも上壁１９が透明ないし半透明に形成された保護ケース１と、前記ケース本体１２の差込口１３およびその上下壁１９・２０の外側をそれぞれ覆うラベルシート２と、透明のフィルム基材にデザイン印刷２１が施され、保護ケース１およびラベルシート２の外面を全面的に覆うようシュリンク包装される外装フィルム３とを含む。包装状態において、ＭＤの前記ラベル貼り面９に入れた印刷図柄１１が、ラベルシート２の上面部１６で目隠しされている。【選択図】　　　　図１
2004136949.tif 000002
【特許請求の範囲】
【請求項１】
ディスクケースの右側にヘッド用開口部を開閉するシャッタが前後方向にスライド可能に装着され、前記ディスクケースの上面壁の左半部分がラベル貼り面に設定されているＭＤを個別包装するについて、
ケース本体の後側面に、前記ＭＤがこれの前端側より抜き差し自在に差し込み収容される差込口を備えていて、少なくとも上壁が透明ないし半透明に形成された扁平な角箱状の保護ケースと、
前記ケース本体の前記差込口およびその上下壁の外側をそれぞれ覆う立面部および上下面部を有するラベルシートと、透明のフィルム基材にデザイン印刷が施され、前記保護ケースおよび前記ラベルシートの外面を全面的に覆うようシュリンク包装される外装フィルムとを含み、
前記ＭＤの前記ラベル貼り面に、印刷図柄が入っており、
前記印刷図柄が、前記ラベルシートの前記上面部で目隠しされていることを特徴とするＭＤの包装構造。
【請求項２】
前記ラベルシートの前記上面部と前記下面部とが、前記保護ケースの前記上壁と前記下壁とのほぼ全面を覆う大きさを有する請求項１記載のＭＤの包装構造。
【発明の詳細な説明】
【０００１】
【発明の属する技術分野】
本発明は、ＭＤ（ミニディスク）と、これを収容する保護ケースと、保護ケースの外面に配置されるラベルシートとを外装フィルムで個別包装する形態の包装構造に関する。
【０００２】
【従来の技術】
店頭における従来のＭＤ（ミニディスク）の包装形態は、図４に示すごとくＭＤが収容された保護ケース１の外面にラベルシート２を被せつけた状態で、全体を熱収縮性の外装フィルム３で密着状にシュリンク包装している（例えば、特許文献１参照）。そのラベルシート２は、保護ケース１の後面と底面と、それに上面の一部を覆う状態で鉤形に折り曲げられており、その片面にタイトルラベルや、インデックスラベルが付設されていた。
【０００３】
【特許文献１】
特開２００２−２８５８号公報（段落番号０００９−００１０、図１）
【０００４】
【発明が解決しようとする課題】
ＭＤは今や汎用商品になっており、満足すべき機能を備えている限り、これの購買動機は商品デザインに依存する。ＭＤの商品デザインのひとつとして、ディスクケースの上側外表面に各種のキャラクターなどの印刷図柄を入れることが挙げられる。その印刷図柄は数種類に及んでシリーズ化されていると、ユーザーは全ての印刷図柄を一式揃えたいと願望するに至り、シリーズ商品の販売に有利となる。そこでは、個別包装を解いて初めてＭＤ上の印刷図柄が判るようにすることに意義がある。
【０００５】
【発明が解決しようとする課題】
この点、従来のラベルシート２は、下面部１７の内側上面にタイトルラベルなどが付設されているところ、このラベルを剥ぎ取り易くするために、ラベルシート２の上面部１６の前後長さが短い。そのため、従来のラベルシート２では、上面部１６でＭＤ上の印刷図柄を覆い隠せず、買入後に初めてどのような印刷図柄が出て来るのか、このユーザーの期待感を満足できなかった。
【０００６】
もともと、透明な外装フィルムにはデザイン印刷が施されるところ、包装状態で内部が透けて見えるようでは、フィルム印刷のデザイン効果を十分に発揮できない。この点は、フィルム面に不透明なマスキング層を印刷することにより改善できるが、マスキング層のために製作コストが高く付く。かかる観点からみると、ラベルシートは、外装フィムの印刷のデザイン効果を発揮させるための隠ぺい材をも兼ねることが望まれる。しかるに、従来のラベルシート２は、上面部１６の前後長さが不足しているため、ＭＤの前方部分の隠ぺい性に不十分であった。
【０００７】
本発明の目的は、ＭＤの上側外表面のラベル貼り面に入れた印刷図柄が包装を解いて初めて目にすることができるようにしたＭＤの包装構造を提供することにある。本発明の目的は、外装フィルムに設けるべき印刷デザインの色調が淡い場合や、デザイン要素がぼかし模様として形成される場合等にも、外装フィルム上のデザイン印刷を明確に表示できるＭＤの包装構造を提供することにある。
【０００８】
【課題を解決するための手段】
本発明は、ディスクケース５の右側にヘッド用開口部を開閉するシャッタ６が前後方向にスライド可能に装着され、前記ディスクケース５の上面壁７の左半部分がラベル貼り面９に設定されているＭＤを個別包装するについて、ケース本体１２の後側面に、ＭＤがこれの前端側より抜き差し自在に差し込み収容される差込口１３を備えていて、少なくとも上壁１９が透明ないし半透明に形成された扁平な角箱状の保護ケース１と、前記ケース本体１２の差込口１３およびその上下壁１９・２０の外側をそれぞれ覆う立面部１５および上下面部１６・１７を有するラベルシート２と、透明のフィルム基材にデザイン印刷２１が施され、保護ケース１およびラベルシート２の外面を全面的に覆うようシュリンク包装される外装フィルム３とを含み、ＭＤの前記ラベル貼り面９に、印刷図柄１１が入っており、この印刷図柄１１が、ラベルシート２の前記上面部１６で目隠しされていることを特徴とする。
【０００９】
本発明の印刷図柄１１は、ＭＤの需要を喚起するための印刷表示であって、文字通りの図柄のほかに、デザイン化された文字や、「当たり」などの文言記載も含む。ラベルシート２の上面部１６と下面部１７とは、実質的にみて保護ケース１の上壁１９と下壁２０とのほぼ全面を覆う大きさを有することが望まれる。
【００１０】
【発明の作用効果】
本発明によれば、個別包装されたＭＤは、ディスクケース５の上面壁７のラベル貼り面９に、需要を喚起するための印刷図柄１１が入っているところ、包装下では印刷図柄１１がラベルシート２の上面部１６で目隠しされている。ユーザーは、購入後に包装を解いて初めて印刷図柄１１を知ることができる。従って、例えば希望の印刷図柄１１を引き当てる喜びをユーザーに与えることができ、汎用のＭＤ市場において他社商品との差別化に有用である。
【００１１】
ラベルシート２は、保護ケース１の差込口１３、上壁１９、下壁２０を隠ぺいしているので、外装フィルム３に入れたデザイン印刷２１は、ラベルシート２を背景にして鮮明に現出させることができる。このことは、外装フィルム３の印刷によるデザイン性が向上し、フィルム面へのマスキング層の省略ないし簡易化につながり、低コスト化にも貢献する。
【００１２】
【実施例】
図１ないし図３は本発明に係るＭＤ（ミニディスク）の包装構造の実施例を示す。図１において、符号１はＭＤを収容する保護ケース、２はラベルシートである。ＭＤが収容された保護ケース１は、ラベルシート２と共に、図２に示すように外装フィルム３で個別にシュリンク包装される。
【００１３】
ＭＤは、扁平な四角形状のディスクケース５の内部にディスクが回転自在に収容され、プレーヤに対するディスクケース５の差し込み方向を前面とみたとき、ディスクケース５の右側にヘッド用開口部を開閉するシャッタ６が前後方向にスライド可能に装着されており、ディスクケース５の上面壁７は、左半部分にラベル貼り面９が大きく凹み形成された標準仕様のそれである。図１において、符号１０は、プレーヤに対するＭＤの差し込み方向を示すために、ディスクケース５の上面壁７に印刷した矢印の表示である。
【００１４】
ディスクケース５のラベル貼り面９には、印刷図柄１１が印刷されて入っている。この印刷図柄１１は、人物や動物などのキャラクターであって、数種類が一組でシリーズ化されており、そのうちのひとつが各ディスクケース５に個別に印刷表示されている。
【００１５】
保護ケース１は、扁平な四角箱状に形成された透明プラスチック成形品であり、そのケース本体１２の後側面に差込口１３が左右間にわたって形成されている。ＭＤは、前記矢印表示１０に従い、これの前側からケース本体１２内に差込口１３を介して抜き差し自在に収容される。ケース本体１２内の前方左右には、ＭＤのディスクケース５が完全に差し込み収容された状態において、ディスクケース５に係合して不用意に抜け外れないよう仮止め保持する図外の節度手段を備えている。
【００１６】
ラベルシート２は、立面部１５の上下端から上面部１６を下面部１７とが折れ線を介して縦断側面視でコ字状に折り曲げ連設されている。図示例では、下面部１７の内側上面にタイトルラベルやインデックスラベルなどの図外のラベルがそれぞれ剥離可能に貼付されている。
【００１７】
ＭＤを収容した保護ケース１の包装に際し、ラベルシート２は、これの立面部１５、上面部１６、下面部１７が、それぞれ保護ケース１のケース本体１２の差込口１３、上壁１９、下壁２０の外面を覆う。このとき、立面部１５はケース本体１２の差込口１３をほぼ左右間にわたって全面的に覆う左右長さを有し、ラベルシート２の上面部１６と下面部１７とは、ケース本体１２の上壁１９と下壁２０とをほぼ全面的に覆う大きさに設定されている。これにより、ラベルシート２で保護ケース１内のディスクケース５のとくに上面壁７が外部から透視できないよう隠ぺいされている。
【００１８】
前述の要領でラベルシート２を保護ケース１の外面に被せ付けた後、これらの外周を外装フィルム３で全面的に密着包装することにより、ＭＤの包装が完了する。
【００１９】
外装フィルム３は、透明な熱収縮性のフィルム基材に各種デザイン印刷２１を施してあり、保護ケース１およびラベルシート２の外周を包み込んだ状態で加熱することにより、収縮したフィルム面が保護ケース１およびラベルシート２と密着するように仕上げる。デザイン印刷２１は文字、模様、絵柄などのデザイン要素をフィルム基材の裏面に印刷して形成しておく。
【００２０】
包装状態において外装フィルム３のデザイン印刷２１は、ラベルシート２を背景として見ることになる。この限りにおいて、ラベルシート２の下面部１７、および特に上面部１６の外表面には、いわゆるベタ印刷やアミ版印刷で無地印刷層を形成することが望まれる。これにより、ラベルシート２に格別のマスキング層を要さずとも、デザイン印刷２１はラベルシート２の隠ぺい機能で淡い色調や、ぼかし模様まで鮮明に見えることになる。
【００２１】
店頭において、包装されたＭＤの印刷図柄１１は、ラベルシート２の上面部１６で目隠しされ、外装フィルム３越しには見えない。ユーザーは、購入後に包装を解いて初めて印刷図柄１１を目にすることになる。従って、印刷図柄１１が優秀であれば、これが入ったＭＤの需要が喚起されるであろう。とくに、印刷図柄１１がシリーズ化されて数種類あれば、ユーザーは全種類を収集したいと欲するようになる。その中に、希有の印刷図柄１１が用意されておれば、それを引き当てたユーザーの喜びは大なるものとなる。もとより、印刷図柄１１が景品提供を意味したりすることもある。
【００２２】
なお、ユーザは、ラベルシート２から前述のラベルを剥離し、必要に応じて該ラベルをＭＤのラベル貼り面９に貼ることになる。開封後のラベルシート２は表裏を反対にして保護ケース１内にＭＤと共に差し込み装着されることも予想される。
【００２３】
（別実施例）　図示例の保護ケース１は、全体を透明プラスチック材で一体成形したが、これのケース本体１２の下壁２０側は不透明プラスチック材で、上壁１９は透明プラスチック材でそれぞれ別体に成形したのち結合したものでもよい。
要は、使用時にケース本体１２内のＭＤの上面壁７が上壁１９を透して見えるものであれば足りる。
【００２４】
保護ケース１の上壁１９は、モスグリーンの半透明でもよく、要はこれに収容したＭＤのラベル貼り面９に貼付のラベルが外側から見えるものであればよい。
【図面の簡単な説明】
【図１】
本発明の構成部材を示す斜視図
【図２】
包装状態での一部破断平面図
【図３】
図２におけるＡ―Ａ線断面図
【図４】
従来の包装構造を説明する斜視図
【符号の説明】
１　保護ケース
２　ラベルシート
３　外装フィルム
５　ディスクケース
６　シャッタ
７　ディスクケースの上面壁
９　ラベル貼り面
１１　印刷図柄
１２　ケース本体
１３　差込口
１５　ラベルシートの立面部
１６　ラベルシートの上面部
１７　ラベルシートの下面部
１９　ケース本体の上壁
２０　ケース本体の下壁
２１　デザイン印刷
【図１】
2004136949.tif 000003
【図２】
2004136949.tif 000004
【図３】
2004136949.tif 000005
【図４】
2004136949.tif 000006